(57)【要約】【課題】鉄塔部材を締着するボルトのナットが弛緩、螺脱することなく完全止着する通しボルトとその締め具の提供。【解決手段】ボルトの頭部２とナット４の形状を円くした円形通しボルトにおいて、頭部２の頂面２０とナット４の座面４０に係合キー１１用の丸穴９を３箇所凹設する。断面が溝形鋼状の円形カップ型ソケット７の底側面７０に軸部３が挿通する孔１０と頭部２とナット４の丸穴９とが面対偶する孔９９を３箇所穿孔する。ソケット７に把手８を装着して目がねレンチ６を構成する。係合キー１１を頭部２とナット４の丸穴９に挿嵌後、ソケット７を頭部２とナット４に被嵌した後、該レンチ６の把手８を回動操作して締付け、ナット４を止着するとともに係合キー１１を剪断して丸穴９を埋めて頭部２とナット４の座面４０を平らにする。頭部２の頂面２０を半球状とする。ナット４にスリーブ５を遊嵌して回転自在とする構造などによすに既存の締め具による弛緩、縷脱を不能にする。【選択図】　　　　図１
2004100938.tif 000002
【特許請求の範囲】
【請求項１】
２個のナットにより構造部材を締付けて接合する頭付きボルトであって、ボルトの頭部と２個のナットの形状が同径で円形のダブルナット方式（主ナットと止マットの２個締め）の通しボルトにおいて、頭部の頂面とナットの片側面にそれぞれ係合キー用の丸穴を位相を変えて等間隔で軸方向に複数箇所凹設してなる円形ボルト。
【請求項２】
頭部の頂面の形状を半球面状に形成し、その頂面に係合キー用の丸穴を位相を変えて等間隔で円心方向に複数箇所凹設してなる請求項１記載の円形ボルト。
【請求項３】
円筒状の套管（鋼管）の内周面に係止用の突部を有するスリーブをダブルナットに遊嵌してなる請求項１記載の円形ボルト。
【請求項４】
円形ボルトに使用する締め具であって、円形の頭部とナットに嵌合する断面が溝形溝のカップ型円形ソケットで、該ソケットの底側面に係合キー用の孔を位相を変えて等間隔で軸方向に複数箇所凹設するとともに中心に軸部を挿通する孔を穿孔した円形ソケットを把手に装着した締め具と、断面が円弧状のカップ型円形ソケットの底面に係合用の孔を位相を変えて円心方向こ数箇所穿孔した球面頭部用の円形ソケットを把手に装着した締め具と、２種類の円形ソケットにより構成されてなる請求項１記載の円形ボルト締付用目がねレンチ。
【請求項５】
頭部の頂側面と２個のナットの側面に凹設した丸穴に嵌着する断面が円形の硬アルミ製の係合用のキーであって、該キーを頭部とナットに凹設の丸穴に挿嵌して係着した後、レンチの円形ソケットを頭部とナットに被嵌して面対偶させた状態で、把手を回動操作してボルト・ナットを締付け、該ナットを止着させるとともに係合キーを剪断させて頭部とナットに凹設の丸穴を埋め、頂側面および座面を平らにするほかダブルナットに遊嵌したスリーブが回転することなどにより締着したボルト・ナットの弛緩、螺脱を不能とすることなどを特徴とする請求項１記載の円形ボルトの目がねレンチによる締付け止着手段。
【発明の詳細な説明】
【０００１】
【発明の属する技術分野】
本発明は、鉄塔等の構造部材を重ね継ぎして締付け固定する通しボルト（高張力、ダブルナット締め）と、その締め具に係わるもので、詳しくは部材に締着したボルトを既存の締め具によって容易に弛緩、螺脱することができない形状、構造、機能を有する円形のボルト及びその締め具の使用法に関するものである。
【０００２】
【従来の技術】
従来、鉄塔等の支持物の組立て（部材同士を接合し、ボルトを使って締付け継合する）に使われている高張力の通しボルトは、その頭部およびナットの外形が六角形のものが一般的である。しかし、この六角形のボルト・ナットによる部材締着には、次のような点に問題があった。
（１）．ボルトの頭部またはナットの外形に適さない締め具を使用して強く締め付けた場合、六角形の角に大きな荷重がかかり亜鉛メッキが剥離して錆びたり、角が潰れたりするため施工後も点検補修が必要であった。
（２）．ボルトの締付け力が不足している場合は、鉄塔の風等による微振動によって締着したナットが自然に緩み、接合部に隙間が生じてボルトに曲げ応力が加わるためダブルナットのほかＴＧナット、イダリング、パールナットなどをボルトに装着してナットの緩止めと螺脱を防止している。
（３）．締着ボルトのナットに装着した緩止め金具は、一般の人が使っている締め具（レンチ、スパナ）等によって取外し、ナットを弛緩、螺脱することができるので支持物の保全維持管理面で万全を期することができない構造である。
上記のほか、先行技術として、図６に示すような頭部とナットの形状を丸くした押えボルトや植込ボルトに丸ピンを係合して円形のボックススパナにより締付ける装置（特開平６−１８５５１０号）や丸ナット用レンチ（特開平８−２８１５６３号）などが開示されているが、いずれも車両の構造体に部品を螺着する小口径、小締付けトルクのボルトで、創作の主旨は、部品の着脱（ボルトの締付、弛緩）を安全かつ容易に実施するのが目的であって、本発明が意図する部材締着後のナットを止着して弛緩、螺脱を不能とする目的に適った機能（構造、効果）をもつ円形の通しボルトと本質的にその内容を異にする締着装置である。
【０００３】
【発明が解決しようとする課題】
従来技術で述べたもののうち、（１）については、施工時における締付け作業の良否に関することであり、（２）については、設備保全対策の一環として必要箇所については施工時に装着しており、施工後も定期点検が必要なことであるが、（３）の問題については、設備の常時監視体制を確立しない限り、これが悪戯などによる行為を未然に防止することは至難なことから特段の配慮はなされてない。
この発明は、従来の技術において重視されていない上記（３）の問題点に鑑み創作されたもので、これを解決する課題として以下の事項について検討した。
【０００４】
締着した通しボルトが既存の締め具によって容易に締めたり緩めたりすることができないボルトの頭部とナットの形状。
【０００５】
頭部とナットの形状を円くした場合、通しボルトを部材に的確に締着させるための頭部とナットと締め具との嵌合面の形状および係合構造。
【０００６】
締め具のソケットの形状を円形の鉤型とした場合、該ソケットが頭部とナットに嵌合して面対偶をなして係合し、枢結させるために頭部の頂面とナットの側座面とソケットの底側面等に形成する係合構造。（凸状の鉤、凹状の穴等）
【０００７】
頭部とナットに凹状の丸穴、ソケットに孔を形成した場合、それらの穴に挿嵌して係合、係止させるするキー（鉤）の形状、寸法ならびに材質と強度。
【０００８】
【課題を解決するための手段】
上記の課題を解決する手段として、従来の頭部とナットの基本的形状（六角、四角形）に拘わらず、その外周形状を同径で円くすることのほか、頂部面を半球状とすることなどによって既存の締め具による弛緩、螺脱を一層困難にする。
【０００９】
そして、止着後のナットに係合する円筒状のスリーブ（套管）をダブルナットに遊嵌して既存の締め具を空転させることによって弛緩、螺脱を不能にする。
【００１０】
また、円形ボルトと締め具との係合を図るため、頭部の頂面とナットの座面に凹状の丸穴（ねじ切り）を位相を変えて等間隔で軸方向に３箇所凹設する。
【００１１】
また、頭部とナットに嵌合する締め具のソケットの外周形状を円くするとともに、その底側面に軸部を挿通する孔と、頭部とナットに凹設の丸穴に面対偶して係合する孔を位相を変えて等間隔で軸方向に３箇所形成したカップ型のソケットを把手に装着して鉤型の片口目がねレンチを構成する。
【００１２】
さらに、頭部とナットに凹設した丸穴に挿嵌してレンチのソケットとを係合させるキーの断面を円形とし、挿嵌した係合キーが適正締付トルクにおいて剪断するよう所定の強度（材質、断面積）を有する硬アルミ製のものを使用する。
【００１３】
また、円形ボルトの部材締着にあたっては、最初、頭部とナットの凹設の丸穴にキーを挿嵌して植込んだ後、これにレンチのカップ型ソケットを嵌合して面対偶させ、ナットと頭部とソケットをキーにより枢結した状態とした後、レンチの把手を回動操作して螺嵌ナットを締付けるとともに係合キーを剪断する。
【００１４】
そして、凹設の丸穴に挿嵌した係合キーが適正締付けトルクにより剪断することによって丸穴が埋まり、頭部とナットの側面が平らになる。
【００１５】
【発明の実施の形態】
発明の実施の形態を、以下実施例にもとづき図面を参照して説明する。
図１は、本発明の基本構想を示す円形ボルト１の構造図で、頭部２とねじ部５に螺合するダブルナットの形状を同径で円形とし、頭部２の頂面２０と２個のナットの片側面４０に、それぞれ凹状の丸穴９を位相を変えて等間隔で軸方向に３ヵ所凹設して締め具６のソケット面とが面対偶して嵌合する構造とした。
【００１６】
図２は、円形ボルト１の頭部２とナット４に嵌合して通しボルトを締付ける締め具６の形状、構造を示すもので、円形ソケット７の内側面７０の中心部に軸部３を通す挿通孔１０を形成するとともに頭部２とダブルナットに凹設の丸穴９に面対偶する係止用の孔９９を位相を変えて等間隔で軸方向に３ヵ所穿孔したカップ型の円形ソケット７を把手８に装着した片口の目がねレンチ６。
【００１７】
図３は、他の実施例で、円形ボルト１の頭部２の頂面２０の形状を半球状とし、その頂面２０に凹状の丸穴９を位相を変えて等間隔で円心方向に３ヵ所凹設して断面が円弧状のカップ型ソケットと面対偶して嵌合する構造を示すもの。
【００１８】
図４も他の実施例で、既存の締め具６を用いて直接円形ナット４を挾掴して弛緩することを防止するため、止着したダブルナットに円筒状のスリーブ５（係止用突部５０形成）を遊嵌して回転機能を具備するナット装置を示したもの。
【００１９】
図５は、円形ボルトの締付けに使用する係合用のキー１１の形状と、そのキー１１を頭部２とナット４に凹設の丸穴に挿嵌、装着する状態を示すもので、硬アルミ棒より成形（寸法、ねじ切り）する。なお、頭部２とナット４に凹設の丸穴９の内径とソケット７に穿孔の孔９９の内径および係合キー１１の外径は、使用する通しボルト１の適正締付けトルクの値によって決める。
【００２０】
本円形通しボルトの部材締着法については、円形の頭部２の頂面２０とナット４の側面４０に凹設の丸穴９に係合キー１１を嵌挿した後、これにカップ型ソケット７を嵌合して枢結状態とした後、把手８を回動操作してナット４を締付けるとともに係止用のキー１１を剪断させて該ボルトの頭部２とナット４に凹設の穴９を破断したキー１１によって埋めることによってその表側面を円く仕上げる。
【００２１】
【考案の効果】
この発明は、以上説明したように構成されているので、ボルトの締め具による損傷が発生しないことのほか、以下に記載する効果を奏する。
【００２２】
ボルトの頭部とナットの外形が円形のため、締着した通しボルトを既存の締め具を使って容易に弛緩、螺脱することが不能とり、故意、悪戯等により発生する障害を防止することができるので支持物の安全性が向上する。
【００２３】
キーを使用し、適正締付トルクによって部材を締付けるため、ボルトを均一強度により螺着することができるので支持物強度の安定性が向上する。
【００２４】
円形通しボルトを支持物の枢要部（鉄塔基礎付近の主脚材と主柱材とを継合する重要な箇所等）で、人が容易に立ち入って触れることができる場所等に使用することによって設備の安全管理面での精神的負担が軽減するとともに侵入者を防止する防護柵の設置等の保安対策費の軽減などに寄与する。
【００２５】
従来の六角ボルトに比べ、頭部およびナットの形状が円形で単純成形のため、製作（製品加工）は容易である。
【００２６】
従来の締め具と比べ、円形カップ型ソケットによる鉤型の目がねレンチの構造も単純成形で規格品が使えるので製作は容易である。
【００２７】
硬アルミの係合キーも単純成形で規格品が使えるので製作は容易であるほか、締着ボルトのナットを止着して設備を安全に維持管理する必要のある他の構造物の枢要部（鉄道レール等）に利用できるなど、その汎用効果が期待できる。
【図面の簡単な説明】
【図１】頭部とナットに丸穴を形設の円形ボルトの正面図および側面図。
【図２】円形ボルトを締付るレンチの平面およびソケットの要部断面図。
【図３】頭頂が半球状の円形ボルトの正面、側面図とソケットの断面図。
【図４】ナットにスリーブを被嵌した円形ボルトの正面図および側面図。
【図５】係合用キーの凹設丸穴への嵌挿（植込）状態を示す要部断面図。
【図６】頭部とナットが丸くピン使用の押えボルトの概要図。（先願）
【符号の説明】
１　　通しボルト（円形ボルト）
２　　頭部（ボルトの頭）
２０　頂面（外側面）
３　　軸部（頭付ボルト）
３０　ねじ部（雄ねじ、雌ねじ）
４　　主ナット（円形、本締め）
４０　側面（座面）
４４　止ナット（円形、緩止め）
５　　スリーブ（套管、円筒）
５０　突部（係止用）
６　　目がねレンチ（締め具）
７　　円形ソケット（カップ型）
７０　底側面　　　（　〃　　）
７ｎ　ナット用ソケット（　〃　　）
８　　把手（締め具）
９　　丸穴（係合キー用）
９９　通孔（　　〃　　）
１０　挿通孔（軸部用）
１１　係合キー（硬アルミ棒）
【図１】
2004100938.tif 000003
【図２】
2004100938.tif 000004
【図３】
2004100938.tif 000005
【図４】
2004100938.tif 000006
【図５】
2004100938.tif 000007
【図６】
2004100938.tif 000008
【手続補正書】
【提出日】平成15年4月8日(2003.4.8)
【手続補正１】
【補正対象書類名】明細書
【補正対象項目名】請求項１
【補正方法】変更
【補正の内容】
【請求項１】
２個のナットにより構造部材を締付けて接合する頭付きボルトであって、ボルトの頭部と２個のナットの形状が同径で円形のダブルナット方式（主ナットと止ナットの２個締め）の通しボルトにおいて、頭部の頂面とナットの片側面にそれぞれ係合キー用の丸穴を位相を変えて等間隔で軸方向に複数箇所凹設してなる円形ボルト。
【手続補正２】
【補正対象書類名】明細書
【補正対象項目名】請求項４
【補正方法】変更
【補正の内容】
【請求項４】
円形ボルトに使用する締め具であって、円形の頭部とナットに嵌合する断面が溝形鋼のカップ型ソケットで、該ソケットの底側面に係合キー用の孔を位相を変えて等間隔で軸方向に複数箇所凹設するとともに中心に軸部を挿通する孔を穿孔した円形ソケットを把手に装着した締め具と、断面が円弧状のカップ型円形ソケットの底面に係合用の孔を位相を変えて円心方向に数箇所穿孔した球面頭部用の円形ソケットを把手に装着した締め具と、２種類の円形ソケットにより構成されてなる請求項１記載の円形ボルト締付用目がねレンチ。
【手続補正３】
【補正対象書類名】明細書
【補正対象項目名】０００７
【補正方法】変更
【補正の内容】
【０００７】頭部とナットに凹設の丸穴、ソケットに孔を形成した場合、それらの穴に挿嵌して係合、係止させるキー（鉤）の形状、寸法ならびに材質と強度。


【手続補正４】
【補正対象書類名】明細書
【補正対象項目名】００１８
【補正方法】変更
【補正の内容】
【００１８】図４も他の実施例で、既存の締め具６を用いて直接円形ナット４を挾掴して弛緩することを防止するため、止着したダブルナットに円筒状のスリーブ５（係止用突部５０を持つ套管）を遊嵌して回転機能を具備するナット装置としたもの。


【手続補正５】
【補正対象書類名】明細書
【補正対象項目名】００２０
【補正方法】変更
【補正の内容】
【００２０】本円形通しボルトの部材締着法については、円形の頭部２の頂面２０とナット４の側面４０に凹設の丸穴９に係合キー１１を嵌挿した後、これにカップ型ソケット７を嵌合して枢結状態とした後、把手８を回動操作してナット４を締付けるとともに係止用のキー１１を剪断させて該ボルトの頭部２とナット４に凹設の丸穴９を破断したキー１１により埋めることによって、その表側面を円く仕上げる。


【手続補正６】
【補正対象書類名】明細書
【補正対象項目名】００２１
【補正方法】変更
【補正の内容】
【００２１】
【発明の効果】